(57)【特許請求の範囲】
【請求項１】
光ファイバーの接続に使用する光成端箱に設けられ、前記光ファイバーを複数本集合して被覆した光ファイバーケーブルを前記光先端箱に固定するための配線支持具において、該配線支持具は平板状の基部と、該基部の両端に形成した平板状の一対の固定片とで成り、前記基部には螺子を挿通するための挿通孔が穿設され、前記固定片の上部と下部には前記光ファイバーが当接されると共に光ファイバーケーブルを固定するバンドを通す溝を夫々形成し、前記配線支持具の下部に前記光ファイバーケーブルを固定する場合は、前記光ファイバーケーブルを前記配線支持具の下部の溝に当接させて前記光成端箱と前記配線支持具とで挟み、前記配線支持具を前記光成端箱に前記螺子で締め付けて前記光ファイバーケーブルを固定し、前記配線支持具の上部に前記光ファイバーケーブルを固定する場合は、前記光成端箱に固定した前記配線支持具の上部の溝に前記光ファイバーケーブルを当接させて前記固定片の下部の溝からバンドを通して前記光ファイバーケーブルを前記配線支持具に幾重にか巻きつけて固定することを特徴とする配線支持具。
【発明の詳細な説明】
【０００１】
【産業上の利用分野】
本発明は、光ファイバーの接続に使用する光成端箱に設けられ、光ファイバーを複数本集合して被覆した光ファイバーケーブルを光成端箱に固定するための配線支持具の構造に関する。
【０００２】
【従来の技術】
従来の配線支持具は、例えば実開昭６２−３３００７号公報に記載のように光成端箱の側面に設けたケーブルグランドで光ファイバーケーブル（７）を固定していた。
【０００３】
【発明が解決しようとする課題】
しかしながら、光ファイバーケーブルをケーブルグランドに通さなければならないために施工が面倒で、バンド等で固定する等の応用ができなかった。
【０００４】
【課題を解決するための手段】
上記従来の配線支持具の問題に鑑み、光ファイバーの接続に使用する光成端箱に設けられ、前記光ファイバーを複数本集合して被覆した光ファイバーケーブルを前記光先端箱に固定するための配線支持具において、該配線支持具は平板状の基部と、該基部の両端に形成した平板状の一対の固定片とで成り、前記基部には螺子を挿通するための挿通孔が穿設され、前記固定片の上部と下部には前記光ファイバーケーブルが当接されると共に光ファイバーケーブルを固定するバンドを通す溝を夫々形成し、前記配線支持具の下部に前記光ファイバーケーブルを固定する場合は、光ファイバーケーブルを前記光成端箱に載置し、前記光ファイバーケーブルを前記配線支持具の下部の溝に当接させて前記光成端箱と前記配線支持具とで挟み、螺子を基部の挿通孔に挿通させて光成端箱２に穿設した取付孔９に締め付ける。前記配線支持具を前記光成端箱に前記螺子で締め付けて固定し、前記配線支持具の上部に前記光ファイバーケーブルを固定する場合は、前記光成端箱に固定した前記配線支持具の上部の溝に前記光ファイバーケーブルを当接させて前記固定片の下部の溝からバンドを通して前記光ファイバーケーブルを前記配線支持具に幾重にか巻きつけて固定することである。
【０００５】
【発明の実施形態】配線支持具は平板状の基部と、基部の両端に形成した平板状の一対の固定片とで成り、断面コ字状に形成されている。そして基部の略中央には螺子を挿通するための挿通孔が穿設され、固定片の上部と下部には光ファイバーケーブルが当接されると共に光ファイバーケーブルを固定するバンドを通す溝が形成されている。
【０００６】
【実施例】
本発明に係る配線支持具の実施例を図１〜図４の添付図面に基づいて説明する。
【０００７】
配線支持具１は、平板状の基部４，４と、基部４，４の両端に形成した平板状の一対の固定片５，５とで成り、断面コ字状に形成されている。そして基部４の略中央には螺子６を挿通するための挿通孔７が穿設され、固定片５の上部と下部には光ファイバーケーブル３が当接されると共に光ファイバーケーブル３を固定するバンド１０を通す溝８，８，８，８が形成されている。
【０００８】
この溝８を固定片５，５の左右方向に増やすことにより、より多くの光ファイバーケーブル３を固定することができる。
【０００９】
配線支持具１の下部に前記光ファイバーケーブル３を固定する場合は、光ファイバーケーブル３を光成端箱２に載置し、配線支持具１の下部の溝８に当接させて光成端箱２と配線支持具１とで挟み、螺子６を基部４の挿通孔７に挿通させて光成端箱２に穿設した取付孔９に締め付けて固定する。
【００１０】
配線支持具１の上部に前記光ファイバーケーブル３を固定する場合は、光成端箱２に螺子６で固定した配線支持具１の上部の溝８に光ファイバーケーブル３を当接させて固定片５の下部の溝８からバンド１０を通して光ファイバーケーブル３を配線支持具１に幾重にか巻きつけて固定する。
【００１１】
配線支持具１の下部で光ファイバーケーブル３を光成端箱２に直接固定し、同時に配線支持具１の上部で光ファイバーケーブル３をバンド１０等を用いて固定することができるため、省スペースで多数の光ファイバーケーブルを固定することができる。
【００１２】
尚、本実施例において配線支持具の溝の深さや形状に制約はなく、例えば図４に示すような形状でもよく、また、配線支持具の形状を断面コ字状としたが断面Ｈ字状や他の形状でも何ら問題なく、本発明の趣旨を逸脱しない範囲で適宜変更可能である。
【００１３】
【発明の効果】
以上のように本発明に係る配線支持具は、光ファイバーの接続に使用する光成端箱に設けられ、前記光ファイバーを複数本集合して被覆した光ファイバーケーブルを前記光先端箱に固定するための配線支持具において、該配線支持具は平板状の基部と、該基部の両端に形成した平板状の一対の固定片とで成り、前記基部には螺子を挿通するための挿通孔が穿設され、前記固定片の上部と下部には前記光ファイバーが当接されると共に光ファイバーケーブルを固定するバンドを通す溝を夫々形成し、前記配線支持具の下部に前記光ファイバーケーブルを固定する場合は、前記光ファイバーケーブルを前記配線支持具の下部の溝に当接させて前記光成端箱と前記配線支持具とで挟み、前記配線支持具を前記光成端箱に前記螺子で締め付けて前記光ファイバーケーブルを固定し、前記配線支持具の上部に前記光ファイバーケーブルを固定する場合は、前記光成端箱に固定した前記配線支持具の上部の溝に前記光ファイバーケーブルを当接させて前記固定片の下部の溝からバンドを通して前記光ファイバーケーブルを前記配線支持具に幾重にか巻きつけて固定することにより、光ファイバーケーブルを光成端箱に直接固定したり、バンドを用いて固定する等、固定方法を変更することができ、而も省スペースで多数の光ファイバーケーブルを容易で確実に固定することができるという優れた効果を有する。
【図面の簡単な説明】
【図１】本発明に係る配線支持具を光成端箱に設置する方法を示す斜視図である。
【図２】本発明に係る配線支持具を示す斜視図である。
【図３】本発明に係る配線支持具に光ファイバーケーブルを固定した状態を示す断面図である。
【図４】本発明に係る配線支持具の変形実施例を示す斜視図である。
【符号の説明】
１      配線支持具
４      基部
５      固定片
６      螺子
７      挿通孔
８      溝
【図１】
0003614699.tif 000002
【図２】
0003614699.tif 000003
【図３】
0003614699.tif 000004
【図４】
0003614699.tif 000005